(57)【要約】  メディアファイル内のイベントをロギングするステップが、ユーザが複数の方法でメディアを視聴し、メディアファイル内のキーイベントを取り込んで確認できるようにするためのロガーツールを提供するステップと、バー及びトーン、スレート、コンテンツ、ロゴ、コマーシャルブラック、品質管理問題、字幕及びキャプションの位置を含む情報をメディアファイルに追加することにより、メディアファイル内のイベントを追跡してロギングするステップとを含む。【選択図】図３Ａ
2014506434.tif 000002
【特許請求の範囲】
【請求項１】
メディアファイル内のイベントをロギングする方法であって、
ユーザが複数の方法でメディアを視聴し、前記メディアファイル内のキーイベントを取り込んで確認できるようにするためのロガーツールを提供するステップと、
バー及びトーン、スレート、コンテンツ、ロゴ、コマーシャルブラック、品質管理問題、字幕及びキャプションの位置を含む情報を前記メディアファイルに追加することにより、前記メディアファイル内のイベントを追跡してロギングするステップと、
を含むことを特徴とする方法。
【請求項２】
前記メディアは動画である、
ことを特徴とする請求項１に記載の方法。
【請求項３】
前記キーイベントは、下流の自動ポストプロダクション処理及びワークフローを可能にするために必要である、
ことを特徴とする請求項１に記載の方法。
【請求項４】
前記ロガーツールは、前記イベントを自動的に提示して、該イベントを前記メディアファイルの正しい位置に関連付ける、
ことを特徴とする請求項１に記載の方法。
【請求項５】
前記メディアファイル内のイベントを追跡してロギングするステップは、
品質管理エントリを有する品質管理レポートを前記ロガーツール内にインポートするステップと、
前記品質管理エントリに一致する前記メディアファイルのためのイベントを生成するステップと、
を含むことを特徴とする請求項１に記載の方法。
【請求項６】
前記イベントは、ロガーツール内でユーザにより手動で生成される、
ことを特徴とする請求項１に記載の方法。
【請求項７】
ビデオ内のイベントをロギングするためのロガーツールであって、
前記ビデオの少なくとも一部を表すサムネイルの調整可能なフィルムストリップと、
前記ビデオの少なくとも１つのオーディオ波形と、
前記ビデオのタイミング情報と、
前記ビデオに関連する複数のイベント及び前記ビデオ内における前記イベントの位置と、
前記ビデオ及び前記少なくとも１つのオーディオ波形を表示して再生するための少なくとも１つのインターフェイスと、
前記ビデオのためのイベントを作成し、編集し、削除するための少なくとも１つのインターフェイスと、
前記ビデオから再使用可能なクリップを作成するための少なくとも１つのインターフェイスと、
１つのファイル内の又は複数のファイルにわたるイベント又はイベント群を編集し、インポートし、コピーするための少なくとも１つのインターフェイスと、
を備えることを特徴とするロガーツール。
【請求項８】
前記タイミング情報は、標準タイムコード、テープのタイムコード、及びフレーム番号のうちの少なくとも１つを含む、
ことを特徴とする請求項７に記載のロガーツール。
【請求項９】
再使用可能なクリップを作成するための前記少なくとも１つのインターフェイスは、新たなロゴを作成するための少なくとも１つのインターフェイスを含む、
ことを特徴とする請求項７に記載のロガーツール。
【請求項１０】
前記ビデオ及び前記少なくとも１つのオーディオ波形を表示して再生するための前記少なくとも１つのインターフェイスは、ウェブブラウザを介した少なくとも１つのユーザインターフェイスを含む、
ことを特徴とする請求項７に記載のロガーツール。
【請求項１１】
前記ビデオ及び前記少なくとも１つのオーディオ波形を表示して再生するための前記少なくとも１つのインターフェイスは、マスタストリップ、ルッキンググラス、イベントストリップ、イベントインジケータ、アンカ、オーディオ拡大、プレーヤ制御、倍率スライダ、音量スライダ、プレーヤペイン及びスタックビューのうちの少なくとも１つを含む、
ことを特徴とする請求項７に記載のロガーツール。
【請求項１２】
メディアファイル内のイベントをロギングするためのコンピュータプログラムを記憶する非一時的有形記憶媒体であって、前記コンピュータプログラムは、
ユーザが複数の方法でメディアを視聴し、前記メディアファイル内のキーイベントを取り込んで確認できるようにすることと、
バー及びトーン、スレート、コンテンツ、ロゴ、コマーシャルブラック、品質管理問題、字幕及びキャプションの位置を含む情報を前記メディアファイルに追加することにより、前記メディアファイル内のイベントを追跡してロギングすることと、
をコンピュータに行わせる実行可能命令を含む、
ことを特徴とする非一時的有形記憶媒体。
【請求項１３】
前記メディアは動画である、
ことを特徴とする請求項１２に記載の非一時的有形記憶媒体。
【請求項１４】
前記キーイベントは、下流の自動ポストプロダクション処理及びワークフローを可能にするために必要である、
ことを特徴とする請求項１２に記載の非一時的有形記憶媒体。
【請求項１５】
ユーザが複数の方法でメディアを視聴し、前記メディアファイル内のキーイベントを取り込んで確認できるようにすることをコンピュータに行わせる実行可能命令は、前記イベントを自動的に提示して、該イベントを前記メディアファイルの正しい位置に関連付けることをコンピュータに行わせる実行可能命令を含む、
ことを特徴とする請求項１２に記載の非一時的有形記憶媒体。
【請求項１６】
前記メディアファイル内のイベントを追跡してロギングすることをコンピュータに行わせる実行可能命令は、
品質管理エントリを有する品質管理レポートをインポートすることと、
前記品質管理エントリに一致する前記メディアファイルのためのイベントを生成することをコンピュータに行わせる実行可能命令を含む、
ことを特徴とする請求項１２に記載の非一時的有形記憶媒体。
【発明の詳細な説明】
【技術分野】
【０００１】
〔関連出願との相互参照〕
本出願は、２０１１年１月４日に出願された「ロガー技術（Ｔｅｃｈ  Ｌｏｇｇｅｒ）」という名称の同時係属中の米国仮特許出願第６１／４２９，７２０号、２０１１年２月１１日に出願された「メディアファイル内のイベントのロギング（ＬＯＧＧＩＮＧ  ＥＶＥＮＴＳ  ＩＮ  ＭＥＤＩＡ  ＦＩＬＥＳ）」という名称の米国特許出願第１３／０２６，１３４号、及び２０１１年９月１３日に出願された「ロガー技術（Ｔｅｃｈ  Ｌｏｇｇｅｒ）」という名称の米国仮特許出願第６１／５３４，２７５号の優先権の利益を主張するものである。上述した出願の開示は、引用により本明細書に組み入れられる。
【０００２】
本発明は、イベントのロギングに関し、より詳細には、メディアファイルに関連するイベントを表示してロギングすることに関する。
【背景技術】
【０００３】
ビデオファイルのためのイベントリストを手作業で作成することは面倒であり、誤りを生じやすい。あるツールでテープ又はビデオファイルを見直しながら別のツールでタイムコードを手動入力すると、間違い及び矛盾が生じることがある。この種の問題により、ライブラリ内のビデオファイルを確実に処理することがさらに困難になり得る。
【発明の概要】
【発明が解決しようとする課題】
【０００４】
本発明の実施形態は、データファイルからのオーディオ・ビデオを表示し、ファイルにメタデータを添付するものである。
【課題を解決するための手段】
【０００５】
１つの実施構成では、メディアファイル内のイベントをロギングする方法を開示する。この方法は、ユーザが複数の方法でメディアを視聴し、メディアファイル内のキーイベントを取り込んで確認できるようにするためのロガーツールを提供するステップと、バー及びトーン（ｂａｒｓ  ａｎｄ  ｔｏｎｅ）、スレート、コンテンツ、ロゴ、コマーシャルブラック（ｃｏｍｍｅｒｃｉａｌ  ｂｌａｃｋ）、品質管理問題、字幕及びキャプションの位置を含む情報をメディアファイルに追加することにより、メディアファイル内のイベントを追跡してロギングするステップとを含む。
【０００６】
別の実施構成では、ビデオ内のイベントをロギングするためのロガーツールを開示する。このロガーツールは、ビデオの少なくとも一部を表すサムネイルの調整可能なフィルムストリップと、ビデオの少なくとも１つのオーディオ波形と、ビデオのタイミング情報と、ビデオに関連する複数のイベント及びこのイベントのビデオ内における位置と、ビデオ及び少なくとも１つのオーディオ波形を表示して再生するための少なくとも１つのインターフェイスと、ビデオのためのイベントを作成し、編集し、削除するための少なくとも１つのインターフェイスと、ビデオから再使用可能なクリップを作成するための少なくとも１つのインターフェイスと、１つのファイル内の、又は複数のファイルにわたるイベント又はイベント群を編集し、インポートし、コピーするための少なくとも１つのインターフェイスとを含む。
【０００７】
さらに別の実施構成では、メディアファイル内のイベントをロギングするためのコンピュータプログラムを記憶する非一時的有形(non-transitory tangible)記憶媒体を開示する。このコンピュータプログラムは、ユーザが複数の方法でメディアを視聴し、メディアファイル内のキーイベントを取り込んで確認できるようにすることと、バー及びトーン、スレート、コンテンツ、ロゴ、コマーシャルブラック、品質管理問題、字幕及びキャプションの位置を含む情報をメディアファイルに追加することにより、メディアファイル内のイベントを追跡してロギングすることとをコンピュータに行わせる実行可能命令を含む。
【０００８】
当業者には、以下の詳細な説明及び添付図面を検討した後に、本発明のその他の特徴及び利点が容易に明らかになるであろう。
【図面の簡単な説明】
【０００９】
【図１】本発明の１つの実施構成による、ロガーの待ち行列ページのスクリーンショットである。
【図２】メディアファイル名を含むタイトルをクリックすることによって到達するロガーのビデオページのスナップショットである。
【図３Ａ】本発明の１つの実施構成による、ロガーのビデオページ内のスタックビューのスナップショットである。
【図３Ｂ】フィルタタブを選択した時に表示されるフィルタのリストのスクリーンショットである。
【図３Ｃ】タブ領域内でビデオ情報タブを選択した時に表示されるビデオ情報を示す図である。
【図３Ｄ】タブ領域内でロゴを選択した時に表示されるロゴ情報を示す図である。
【図４Ａ】コンピュータシステム及びユーザの表現を示す図である。
【図４Ｂ】ロガーをホストするコンピュータシステムを示す機能ブロック図である。
【図５】本発明の１つの実施構成による、メディアファイル内のイベントをロギングする方法を示すフロー図である。
【図６】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図７】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図８】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図９】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１０】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１１】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１２】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１３】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１４】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１５】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１６】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【図１７】オーディオ・ビデオ要素（フレーム、トラック、セグメント、クリップ、波形、フィルムストリップ、イベントなど）の提示、選択、適合、照合及びロギングなどを行うための、ロガーのユーザインターフェイスの実施構成を示す図である。
【発明を実施するための形態】
【００１０】
本明細書に開示するいくつかの実施構成は、データファイルからのオーディオ・ビデオを表示し、ファイルにメタデータを添付するものである。本説明を読んだ後には、様々な別の実施構成及び別の用途で本発明を実施する方法が明らかになるであろう。しかしながら、本明細書では本発明の様々な実施構成について説明するが、これらの実施構成は、限定ではなくほんの一例として提示するものであると理解されたい。従って、別の様々な実施構成についての以下の詳細な説明を、本発明の範囲又は幅を限定するものとして解釈すべきではない。
【００１１】
１つの実施構成では、ロガーと呼ばれるソフトウェアツールを用いて、動画などのメディアファイル内のイベントをロギングする。このロガーツールは、ユーザが複数の方法でビデオを視聴し、バー及びトーン、スレート、コンテンツ、ロゴ、コマーシャルブラック、品質管理問題、字幕及びキャプションの位置を含む情報をファイルに追加し、ファイル内のイベントを追跡してロギングできるようにするユーザインターフェイスを提供する。このロガーツールは、下流の自動ポストプロダクション処理及びワークフローを可能にするために必要なメディアファイル内のキーイベントをユーザが取り込んで確認できるようにする。
【００１２】
１つの実施構成では、ユーザインターフェイスが、メディアファイルへのアクセスを提供するとともに、このメディアファイルのためのイベントを作成し、追跡し、編集するためのインターフェイスも提供する。このユーザインターフェイスは、イベントを自動的に提示してメディアファイルの正しい位置に関連付けることができ、これによりデータのスループット及び品質を向上させることができる。イベントは、ユーザがロガーツール内で手動で生成することも、また外部的に作成したイベントのリスト又はテーブルをインポートすることにより生成することもできる。その後、これらのイベントをロガーツール内でメディアファイルに関連付けることができる。例えば、ユーザは、ロガーツールに品質管理レポートをインポートし、このロガーツールを用いて、品質管理エントリに一致するファイルのためのイベントを作成することができる。別の実施構成では、ロガーツールが、インポートした一致する及び／又差別化されたデータに基づいて、フレームの一致及び／又は差別化に関する情報及びビューを提示することもできる。
【００１３】
図１は、本発明の１つの実施構成による、ロガーの待ち行列ページ１００のスクリーンショットである。待ち行列ページ１００に示す待ち行列は、ロギング処理の各状態を通じてメディアファイルの進捗状況を追跡するように設計される。
【００１４】
図１に示す実施構成では、ロガーの待ち行列ページ１００が、状態バー１１０、項目カウンタ１１２、「ドロップダウンによるソート」１１４、検索フィールド１１６、「全てを展開／折り畳み」１１８、タイトル１２０、識別子１３０、展開１２２、サムネイル１２４、折り畳み１２６、ファイル明細１２８、「動画の追加」フィールド１３２及びログアウトといった項目／フィールドを含む。状態バー１１０をクリックすると、全て、ロード中、ロギング準備中、ユーザ作業中、レビュー準備中、完了及び拒否を含む選択された状態のファイルを表示することができる。項目カウンタ１１２は、この選択状態を示すファイル数を表示する。「ドロップダウンによるソート」項目１１４をクリックすると、ファイルを配列して視聴する識別子（タイトル、状態、タスクＩＤ、追加日、特徴、ユーザによる割り当て及びキットＩＤなど）を選択することができる。検索フィールド１１６は、入力されたキーワード基準を満たすファイルを表示する。「全てを展開／折り畳み」項目１１８をクリックすると、現状の全てのファイルの追加ファイル情報（すなわち、ファイル明細）を展開し又は折り畳むことができる。タイトル１２０はファイル名を含み、これをクリックするとロガーのビデオページに進む。識別子フィールド１３０は、ファイル固有の識別情報を示す。展開アイコン１２２をクリックすると、追加ファイル情報を表示することができる。サムネイル１２４は、ファイルを視覚的に表すように選択された単一のフレームを示す。折り畳みアイコン１２６をクリックすると、追加ファイル情報を隠すことができる。ファイル明細１２８は、追加の技術的ファイル情報を示す。「動画の追加」フィールド１３２は、現在ロガーツール内に存在しない選択ファイルをロード状態に入れるために使用される。
【００１５】
図２は、メディアファイル名（図１の１２０など）を含むタイトルをクリックすることによって到達するロガーのビデオページ２００のスナップショットである。１つの実施構成では、ロガーのビデオページ２００が、イベントを視聴し、確認し、取得するために使用する部分、制御及び命令を含む。例えば、ロガーのビデオページ２００は、ビデオファイルの全部又は一部を表す調整可能なサムネイルのフィルムストリップ、ビデオのオーディオ波形、タイミング情報（タイムコード、テープのタイムコード、フレーム番号など）を含むビデオ、ビデオに関連するイベント及びファイル内におけるこれらのイベントの（タイムコードなどによる）位置、ビデオ及びオーディオ波形を表示して再生するためのインターフェイス、ビデオファイルのイベントを作成し、編集し、削除するためのインターフェイス、ビデオファイルから（新たなロゴの作成などの）再使用可能なクリップを作成するためのインターフェイス、１つのファイル内の又は複数のファイルにわたるイベント又はイベント群を編集し、インポートし、コピーするためのインターフェイス、ウェブブラウザを介したユーザとのインターフェイスを提供／表示する。
【００１６】
図２に示す実施構成では、ビデオページ２００が、ページセレクタ２１０、イベント概観２１２、マスタストリップ２１４、ルッキンググラス２１６、イベントストリップ２１８、イベントインジケータ２２０、アンカ２２２、オーディオ波形２２４、オーディオ拡大２２６、標準タイムコード２２８、テープタイムコード２３０、フレーム番号２３２、プレーヤ制御２３４、倍率スライダ２３６、音量スライダ２３８、プレーヤペイン２４２及びスタックビュー２４０といった部分、制御及び命令を含む。ページセレクタ２１０は、（待ち行列、ビデオ又はオーディオなどの）視聴するページを選択するために使用される。イベント概観２１２は、イベントを含むファイルの部分を表す。１つの例では、既知のイベント及び未知のイベントが異なる色で表される。
【００１７】
マスタストリップ２１４は、開始から終了までのファイルタイムライン全体を表す。ルッキンググラス２１６は、マスタストリップ２１４内に位置し、イベントストリップ２１８内のファイルの囲まれた部分を拡大する。新規ファイルを開いた時点でのルッキンググラス２１６のデフォルト位置は、ファイル全体を含む。イベントストリップ２１８は、ファイルをイベントに分割できる、マスタストリップ２１４上のルッキンググラス２１６内に位置する拡大部分である。イベントインジケータ２２０は、各個々のイベントの概略を示すストロークである。例えば、イベントインジケータ２２０内の最初のサムネイルはイベントの最初のフレームであり、イベントインジケータ２２０内の最後のサムネイルはイベントの最後のフレームである。アンカ２２２は、イベントストリップ２１８及びオーディオ波形を横切る垂直線によって表され、ファイル内の位置を表す。このファイル位置は、プレーヤペイン２４２内に表示される。プレーヤ制御２３４は、再生、一時停止、早送り及び巻き戻しなどの基本的再生タスクを制御するボタンである。倍率スライダ２３６は、イベントストリップ２１８内に表示されるマスタストリップ２１４の量を増減できるルッキンググラス２１６のサイズを調整する。プレーヤペイン２４２は、アンカ２２２の右側に位置するフレームを表示する。スタックビュー部分２４０は、ロガーのビデオページ２００のアクションセンターである。
【００１８】
１つの実施構成では、上述した部分、制御及び命令を用いて、ロガーのビデオページ２００をナビゲートすることができる。例えば、ルッキンググラス２１６をクリックして左右にドラッグすることにより、イベントストリップ２１８内にファイルの異なる部分を表示するようにマスタストリップ２１４をナビゲートすることができる。ルッキンググラス２１６のサイズは、倍率スライダ２３６をｍｉｎｕｔｅｓ（分）の方に動かしてルッキンググラス２１６のサイズを大きくし、ｆｒａｍｅｓ（フレーム）の方に動かしてルッキンググラス２１６のサイズを小さくすることにより調整することができる。別の例では、アンカ２２２をクリックし、イベントストリップ２１８に沿って左右にドラッグすることにより、イベントストリップ２１８をナビゲートすることができる。アンカ２２２を同じ位置に保ったまま、イベントストリップ２１８を左右にドラッグすることができる。イベントストリップ２１８をドラッグすると、マスタストリップ２１４内のルッキンググラス２１６も移動する。イベントストリップ２１８上の所望のイベントをクリックすると、イベントストリップ２１８が動いて、選択されたイベントの最初フレームの前にアンカ２２２が位置するようになる。エンターキーを押すこと、又はイベントストリップ２１８上のイベントをクリックすることのいずれかを行って、ストリップ２１８の中心のイベントを展開することもできる。上下矢印キーを使用して、次の又は前のイベントに移動することもできる。さらに別の例では、スタックビュー２４０内のイベントを選択すると、選択されたイベントの最初のフレームの前にアンカ２２２が位置するようにイベントストリップ２１８が動いて、イベントストリップ２１８の中心のイベントが展開される。
【００１９】
図３Ａは、本発明の１つの実施構成による、ロガーのビデオページ２００のスタックビュー３００のスナップショットである。スタックビュー３００は、完了したタスク、並びにフィルタツール及びその他の情報を示す。図３Ａに示す実施構成では、スタックビューウィンドウ３００が、（トラックドロップダウンボタン３１２及びトラック追加ボタン３１４を含む）トラック情報３１０、フィルタ３３２（図３Ｂを参照）、ビデオ情報３３４（図３Ｃを参照）及びロゴ３３６（図３Ｄを参照）を示すタブ３３０、及びイベント行３２０を含む。上述したように、既知のイベント及び未知のイベントを異なる色３２２で表すことができる。スタックビューペイン３００は、「全ての注釈展開機能」３１６及び「注釈展開機能」３１８をさらに含む。トラック情報３１０の部分は、品質管理レポート、キャプション、字幕又はスクリプトアラインメントのインポート、選択されたタイトルからのコピー、又はファイル全体を表す未知のデフォルトイベントの作成を行うためのオプションを提供する。
【００２０】
図３Ｂは、フィルタタブを選択した時に表示されるフィルタ３３２のリストのスクリーンショットである。フィルタのリストから１又はそれ以上のフィルタを選択することにより、個々のトラックに含まれるイベントをカテゴリごとに視聴できるようになる。従って、フィルタを選択して、選択したフィルタのカテゴリのイベントのみをトラック内に表示することができる。複数のフィルタボタンを押すことにより、同時に複数のフィルタをオンにして、選択されたフィルタカテゴリ内のイベントを視聴可能にすることもできる。
【００２１】
図３Ｃには、タブ領域３３０内でビデオ情報タブを選択した時に表示されるビデオ情報３３４を示す。ビデオ情報３３４は、フレームレート、言語及びその他の関連するビデオ情報などの情報を提供する。
【００２２】
図３Ｄには、タブ領域３３０内でロゴを選択した時に表示されるロゴ情報３３６を示す。スタックビュー３００のロゴウィンドウ内のロゴを見るには、トラック名の下にあるロゴボタンをクリックする。ロゴを検索するには、ロゴウィンドウが開いた状態で検索フィールド内にカーソルを置きクリックする。新たなロゴを作成するには、ロゴを表すイベントを開始から終了まで作成し、このロゴを含むイベントのスタックビュー内の「編集モード」アイコン上をクリックし、イベントカテゴリメニュー内の「ロゴ」及び対応するロゴタイプ（ロゴ、制作会社ロゴ、流通ロゴ、又は作品ロゴなど）を選択し、イベントストリップ内のロゴを最も正確に表すフレーム上にアンカを配置し、「ＯＫ」ボタンをクリックし、又はイベントカテゴリメニュー内の正しいイベントタイプをダブルクリックし、スタックビュー上にロゴウィンドウが現れたら検索フィールド内に所望のロゴ名を入力し、「新規作成」ボタンをクリックし、スタックビュー内に新たなロゴが現れたら、「提出」ボタンをクリックして、新規作成したロゴをイベントに割り当てる、というステップを実行する。
【００２３】
図３Ａに戻ると、各イベント行３２０は、割り当てられたイベントタイプ、イベント記述、継続時間、並びに開始及び終了を表示する。強調表示された計測フィールドに基づいて、継続時間の計測、並びに開始及び終了情報が表示される。各イベントタイプは、スタックビュー３００内の「イベントタイプ」の列に異なる色３２２によって表される。以下に大まかに示すテーブル１に、利用可能なイベントタイプを定義する。
2014506434.tif 000003
2014506434.tif 000004
2014506434.tif 000005
【００２４】
各トラックは、開始から終了までのファイル全体を表す少なくとも１つのイベントを含み、又は組み合わせた多くのインポート又はコピーしたイベントは、ファイル全体を含む。各新規イベントは、既存のイベントの一部である。従って、新規イベントを作成するには、イベントストリップ内の作成するイベントの最初のフレーム上又はその直前にアンカを配置する。これにより、イベントの最初のフレームがプレーヤペイン内に表示されるようになる。次に、現在のイベントを２つのイベントに分割することを選択する。これで、アンカの右側にあるフレームが新規イベントの最初のフレームを表し、アンカの左側にあるフレームが前のイベントの最後のフレームを表すようになる。このイベントは、自動的に未知として分類される。
【００２５】
図４Ａに、コンピュータシステム４００及びユーザ４０２の表現を示す。ユーザ４０２は、コンピュータシステム４００を用いて、動画などのメディアファイル内のイベントをロギングする。コンピュータシステム４００は、ロガー４９０を記憶して実行する。
【００２６】
図４Ｂは、ロガー４９０をホストするコンピュータシステム４００を示す機能ブロック図である。コントローラ４１０は、プログラマブルプロセッサであり、コンピュータシステム４００及びその構成要素の動作を制御する。コントローラ４１０は、メモリ４２０又は内蔵コントローラメモリ（図示せず）から（コンピュータプログラムなどの形の）命令を読み込み、これらの命令を実行してシステムを制御する。コントローラ４１０は、その実行時に、メディアファイル内のイベントのロギングを可能にするようなソフトウェアシステムとしてロガー４９０を提供する。或いは、このサービスを、コントローラ４１０又はコンピュータシステム４００内の別個のハードウェア構成要素として実装することもできる。
【００２７】
メモリ４２０は、コンピュータシステム４００の他の構成要素が使用するデータを一時的に記憶する。１つの実施構成では、メモリ４２０がＲＡＭとして実装される。１つの実施構成では、メモリ４２０が、フラッシュメモリ及び／又はＲＯＭなどの長期又は永続メモリも含む。
【００２８】
記憶装置４３０は、ロガー４９０が使用するデータなどの、コンピュータシステム４００の他の構成要素が使用するデータを一時的に又は長期的に記憶する。１つの実施構成では、記憶装置４３０がハードディスクドライブである。
【００２９】
媒体装置４４０は、取り外し可能媒体を受け入れてデータを読み取り、及び／又は挿入された媒体にデータを書き込む。１つの実施構成では、例えば、媒体装置４４０が光ディスクドライブである。
【００３０】
ユーザインターフェイス４５０は、コンピュータシステム４００のユーザからのユーザ入力を受け入れ、このユーザに情報を提示するための構成要素を含む。１つの実施構成では、ユーザインターフェイス４５０が、キーボード、マウス、オーディオスピーカ及びディスプレイを含む。コントローラ４１０は、ユーザからの入力を用いて、コンピュータシステム４００の動作を調整する。
【００３１】
Ｉ／Ｏインターフェイス４６０は、（プリンタ又はＰＤＡなどの）外部記憶装置又は補助装置などの対応するＩ／Ｏ装置と接続するための１又はそれ以上のＩ／Ｏポートを含む。１つの実施構成では、Ｉ／Ｏインターフェイス４６０のポートが、ＵＳＢポート、ＰＣＭＣＩＡポート、シリアルポート及び／又はパラレルポートなどのポートを含む。別の実施構成では、Ｉ／Ｏインターフェイス４６０が、外部装置と無線で通信するための無線インターフェイスを含む。
【００３２】
ネットワークインターフェイス４７０は、ＲＪ−４５、又はイーサネット（登録商標）接続をサポートする（限定ではないが８０２．１１を含む）「ＷｉＦｉ」インターフェイスなどの有線及び／又は無線ネットワーク接続を含む。
【００３３】
コンピュータシステム４００は、（電源システム、冷却システム、オペレーティングシステムなどの）コンピュータシステムに典型的な追加のハードウェア及びソフトウェアを含むが、図を簡単にするために図４Ｂにはこれらの構成要素を具体的に示していない。他の実施構成では、（異なるバス又は記憶構成又はマルチプロセッサ構成などの）異なる構成のコンピュータシステムを使用することができる。
【００３４】
図５は、本発明の１つの実施構成による、メディアファイル内のイベントをロギングする方法５００を示すフロー図である。図示の実施構成では、この方法が、ボックス５１０において、ユーザが複数の方法でメディアを視聴できる（ボックス５１２）ようにロガーツールを構成するステップを含む。ユーザは、ボックス５１４において、メディアファイル内のキーイベントの取り込み及び確認も行う。ボックス５２２において、バー及びトーン、スレート、コンテンツ、ロゴ、コマーシャルブラック、品質管理問題、字幕及びキャプションの位置を含む情報をメディアファイルに追加することにより、ボックス５２０において、メディアファイル内のイベントを追跡してロギングする。
【００３５】
様々な実施構成は、限定ではないが以下の項目の１又はそれ以上を含むことができる。
・ビデオファイルの全部又は一部を表す調整可能なサムネイルのフィルムストリップを提供すること
・ビデオのオーディオ波形を表示すること
・タイミング情報（タイムコード、テープのタイムコード、フレーム番号など）を含むビデオを表示すること
・ビデオに関連するイベント及びこれらのイベントの（タイムコードなどによる）ファイル内における位置を表示すること
・ビデオ及びオーディオ波形の表示及び再生を制御するためのＵＩ（ユーザインターフェイス）を提供すること
・ビデオファイルのためのイベントを作成し、編集し、削除するためのＵＩを提供すること
・（新たなロゴの作成などの）ビデオファイルから再使用可能なクリップを作成するためのＵＩを提供すること
・１つのファイル内の、又は複数のファイルにわたるイベント又はイベント群を編集し、インポートし、コピーするためのＵＩを提供すること
・ファイルを分析することにより、（コマーシャルブラック又はスレートなどの）選択されたイベントを自動的に作成すること
・ユーザがファイル内の又はファイルにわたるフレームを照合できるようにするフレームマッチングのためのＵＩ及び動作を提供すること
・オーディオ波形内の類似点及び相違点を発見するオーディオ適合のためのＵＩ及び動作を提供すること
・オーディオ成分作成のためのＵＩ及び動作を提供すること
・フレームマッチデータをＡｖｉｄ  ＡＡＦ（Ａｄｖａｎｃｅｄ  Ａｕｔｈｏｒｉｎｇ  Ｆｏｒｍａｔ）／ＥＤＬ（Ｅｄｉｔ  Ｄｅｃｉｓｉｏｎ  Ｌｉｓｔ）又はクイックタイム（Ｑｕｉｃｋｔｉｍｅ）の参照動画にエクスポートするＡＶＩＤエクスポート機能のためのＵＩ及び動作を提供すること
・ビデオＵＩ内のオンスクリーン注釈（すなわち、フレーム上の手描き）のためのＵＩ及び動作を提供すること
・ＱＣレポート生成のためのＵＩ及び動作を提供すること
・画像検出におけるオートテキストのためのＵＩ及び動作を提供すること
・編集能力を有する音声−テキスト処理及び結果表示のためのＵＩ及び動作を提供すること
・手動転写ツールのためのＵＩ及び動作を提供すること
・ウェブブラウザを介したユーザへのインターフェイスを提供すること
・ファイルのダウンロード及びローカルコピーを使用する代わりに又はこれに加えて、サーバからのストリーミングを使用してロガーを通じてオーディオ・ビデオを提供すること
【００３６】
１つの実施構成では、ロガーが、同じ又は異なる動画ファイルからのフレームをユーザが照合できるようにする一連の機能をサポートするための構成要素を含む。このフレームマッチング機能の基本アルゴリズムは、絶対差の法則として知られている基本概念に軸を置くものであり、正と負のフレームを比較して適合の関連性を判断し、規定のしきい値に基づいて結果を戻す。この機能は、挿入物をオリジナル番組と照合することにより、テキストレスマスタ及び外国語テキストのマスタを作成する能力をユーザに提供する。１つの例では、第１のファイルがオリジナル動画を含み、第２のファイルが、挿入物、すなわちオリジナル内の対応する一群のフレーム（特定の言語に合わせてローカライズされたテキストを含むフレームなど）と置き換えるべき一群のフレームを含む。ユーザは、フレームマッチングを使用して、挿入フレームに適合するオリジナルフレームを識別し、オリジナル動画ファイル内のどのフレームを挿入ファイルからのフレームと置き換えるべきかを（手動及び／又は自動で）示すことができる。その後、ロガーは、選択されたフレームが選択された挿入フレームに置き換えられたオリジナルフレームを使用して新たなバージョンを出力することができる。或いは、ロガーは、オリジナルファイルと挿入ファイルの間の再生を導くファイル（参照テーブルなど）を作成することもできる。その後、ユーザは、異なる挿入ファイルを使用して、異なる言語のための別のファイルを作成することができる。
【００３７】
ＵＩは、プレーヤペイン内で結果的な再生を横並びで確認する能力をユーザに提供し、デフォルトのストーリーボードモード、及び挿入フレームとオリジナルフレームの矛盾する不一致が存在する場合にはユーザが修復及び調整できる「精密」モードのビューを含む。また、ユーザは、これらのバージョンを「リアルタイム」にプレビューして言語を切り替えることができる。これにより、外国語マスタが実際のファイルにレンダリングされる前に、これらの「仮想編集」をプレビューできるようになる。プレビュー領域内における再生中には、照合処理中に作成されたＥＤＬをキーオフすることにより、挿入がオンザフライで動画に追加される。ユーザは、オーディオ及びテキスト要素を選択し、プレビューの一部としてレンダリングすることもできる。
【００３８】
１つの実施構成では、ロガーが、ユーザが波形を互いに比較して類似点及び／又は相違点を発見できるようにするオーディオ適合及びオーディオ分析のための一連の機能をサポートするための構成要素を含む。この技術は、ロガーの機能セットの一部であり、オーディオＵＩの一部である。別の実施構成では、オーディオ分析及び／又はオーディオＵＩを別個のプログラム又は構成要素に実装することができる。後の図には、オーディオＵＩの態様を示す。ユーザは、他の全てのチャネルが適合する（例えば、同期するようにオフセット又はシフトされる）チャネルである「ゴールド」参照チャネルを選択することができる。結果が戻されると、このオーディオチャネルが適所に固定され、オフセット値が記録される。その後、ユーザは、適合結果が正確であることを確認して成分を固定する。このタイトルに新たな成分が取り込まれると、この自動適合処理が実行されて、未固定の成分のみが分析される。
【００３９】
別の実施構成では、ロガーが、オーディオ成分を作成する一連の機能をサポートするための構成要素を含む。例えば、ユーザは、６リールのオーディオを１つの長時間再生ファイルの形にレンダリングするように、マルチパートオーディオ成分を１つのパートに組み合わせることができる。１つの実施構成では、このオーディオ成分の作成も、ロガーのオーディオＵＩの一部である。オーディオＵＩは、ユーザがマルチパートオーディオ成分を取り込み、これらを適合させ、新たな成分をレンダリングできるようにする機能をユーザに提供する。その後、結果として得られた成分を、配信システム又はその他のポストプロダクションワークフローにおいて使用することができる。オーディオ成分を作成する１つの実施構成は、サンプルレート変換、同期ポップ除去、基本エンベロープ及びリアルタイムプレビューといった機能も提供する。
【００４０】
開示した実施構成についての上記説明は、あらゆる当業者が本発明を実施又は使用できるようにするために提供したものである。当業者には、これらの実施構成に対する様々な修正が容易に明らかになるであろうし、本発明の思想又は範囲から逸脱することなく、本明細書で説明した一般原理を他の実施構成に適用することもできる。従って、追加の実施構成及び変形例も本発明の範囲に含まれる。例えば、これらの例は、動画を表示すること及びロギングすることに焦点を合わせたものであるが、テレビ番組、インターネットビデオ、又はユーザが生成したコンテンツなどの他のビデオに、或いはラジオ又はポッドキャスト、若しくはゲーム又はテキストなどのその他のコンテンツなどのオーディオに、或いはこれらの組み合わせ（脚本の照合及び追跡などのためのビデオ、オーディオ及びテキストの照合及び適合など）にロガーを特化させることもできる。ある特定のロガーの実装において、各例の全ての機能が必ずしも必要とは限らない。さらに、本明細書に示す説明及び図面は、本発明によって広範に企図される主題を表すものであると理解されたい。さらに、本発明の範囲は、当業者に明らかになると考えられる他の実施構成を完全に含み、従って添付の特許請求の範囲以外のいかなるものによっても限定されないことを理解されたい。
【図１】
2014506434.tif 000006
【図２】
2014506434.tif 000007
【図３Ａ】
2014506434.tif 000008
【図３Ｂ】
2014506434.tif 000009
【図３Ｃ】
2014506434.tif 000010
【図３Ｄ】
2014506434.tif 000011
【図４Ａ】
2014506434.tif 000012
【図４Ｂ】
2014506434.tif 000013
【図５】
2014506434.tif 000014
【図６】
2014506434.tif 000015
【図７】
2014506434.tif 000016
【図８】
2014506434.tif 000017
【図９】
2014506434.tif 000018
【図１０】
2014506434.tif 000019
【図１１】
2014506434.tif 000020
【図１２】
2014506434.tif 000021
【図１３】
2014506434.tif 000022
【図１４】
2014506434.tif 000023
【図１５】
2014506434.tif 000024
【図１６】
2014506434.tif 000025
【図１７】
2014506434.tif 000026
【手続補正書】
【提出日】平成25年9月3日(2013.9.3)
【手続補正１】
【補正対象書類名】図面
【補正対象項目名】全図
【補正方法】変更
【補正の内容】
【図４Ｂ】
2014506434.tif 000027
【図５】
2014506434.tif 000028
【図１】
2014506434.tif 000029
【図２】
2014506434.tif 000030
【図３Ａ】
2014506434.tif 000031
【図３Ｂ】
2014506434.tif 000032
【図３Ｃ】
2014506434.tif 000033
【図３Ｄ】
2014506434.tif 000034
【図４Ａ】
2014506434.tif 000035
【図６】
2014506434.tif 000036
【図７】
2014506434.tif 000037
【図８】
2014506434.tif 000038
【図９】
2014506434.tif 000039
【図１０】
2014506434.tif 000040
【図１１】
2014506434.tif 000041
【図１２】
2014506434.tif 000042
【図１３】
2014506434.tif 000043
【図１４】
2014506434.tif 000044
【図１５】
2014506434.tif 000045
【図１６】
2014506434.tif 000046
【図１７】
2014506434.tif 000047
【国際調査報告】
2014506434.tif 000048